【事件の表示】
　特許第３２５３５６２号「脂取り紙の製造法」の請求項１ないし５に係る特許に対する特許異議の申立てについて、次のとおり決定する。
【結　論】
　訂正を認める。
　特許第３２５３５６２号の請求項１ないし４に係る特許を取り消す。
　同請求項５に係る特許を維持する。
【理　由】
１．手続の経緯
　本件特許３２５３５６２号の請求項１〜５に係る発明についての出願は、平成９年５月２０日に出願され、平成１３年１１月２２日にその発明について特許権の設定登録がなされ、その後、申立人古田正仁より特許異議の申立てがなされ、取消しの理由が通知され、その指定期間内である平成１５年７月１５日に意見書及び訂正請求書が提出されたものである。
　　　
２．訂正の適否
（１）訂正の内容
　特許権者が求めている訂正の内容は以下のａ〜ｆのとおりである。
　Ａ．訂正事項ａ
　特許請求の範囲の請求項１について、「原紙にカレンダー加工し
て原紙の繊維を潰した
　　　
　Ｂ．訂正事項ｂ
　明細書の段落番号【０００７】の「上記課題を・・・・・・叩くようにしたものである。」を「上記課題を解決するための本発明の脂取り紙の製造法は、原紙にカレンダー加工し
て原紙の繊維を潰した
　　　
　Ｃ．訂正事項ｃ
　明細書の段落番号【００１１】の「上記本発明の製造法によれば、・・・・・・肌触り等を得ることができる。」を「上記本発明の製造法によれば、原紙にカレンダー加工を施して繊維を潰すとともに密度および平滑度を高めた後、このカレンダー加工紙と、このカレンダー加工紙より堅い補助用シート状物とを交互に重ねて叩くので、カレンダー加工紙の繊維を砕くようにする
ことにより
　　　
　Ｄ．訂正事項ｄ
　明細書の段落番号【００１５】の「次に、上記カレンダー加工紙と、・・・・・・作り上げることができる。」を「次に、上記カレンダー加工紙と、このカレンダー加工紙より堅い補助用シート状物とを、例えば、２０ｃｍ以上の正方形、若しくは長方形に形成して交互に重ね合わせ、これらカレンダー加工紙および補助用シート状物の所望枚数、例えば、５００枚〜１０００枚程度を一束として箔打ち機により束面から万遍なくカレンダー加工紙の繊維が砕けるほど叩く。このとき、熱が発生するため、冷ましながら叩く作業を繰り返して行う。カレンダー加工紙の間にこれより堅い補助用シート状物を挟んでいるので、カレンダー加工紙の繊維を砕くようにする
ことにより適度の
　　　
　Ｅ．訂正事項ｅ
　明細書の段落番号【００１７】の「比較例として、・・・・・・脂取り紙を製造した。」を「比較例として、上記本発明実施例と同様の
カレンダー加工紙
　　　
　Ｆ．訂正事項ｆ
　明細書の段落番号【００２０】の「以上要するに本発明の製造法によれば、・・・・・・作業能率を向上させることができる。」を「以上要するに本発明の製造法によれば、原紙にカレンダー加工を施して繊維を潰すとともに、密度および平滑度を高めた後、このカレンダー加工紙と、このカレンダー加工紙より堅い補助用シート状物とを交互に重ねて叩くので、カレンダー加工紙の繊維を砕くようにする
ことにより、
　　　
（２）訂正の目的の適否、新規事項の有無、及び特許請求の範囲の拡張・変更の存否
　Ａ．訂正事項ａは、特許明細書の特許請求の範囲に記載された「原紙にカレンダー加工を施した後」を、より下位概念である「原紙にカレンダー加工して原紙の繊維を潰した後」に限定しようとするものである。また、この訂正事項ａは、特許明細書の段落【００１１】、【００１４】及び【００２０】に記載されていたものである。そうすると、上記訂正事項ａは、特許明細書に記載された事項の範囲内において「カレンダー加工」を限定したものといえるから、特許請求の範囲の減縮を目的とした明細書の訂正に該当するものであって、新規事項の追加に該当せず、また、実質上特許請求の範囲を拡張し、又は変更するものではない。
　　　
　Ｂ．訂正事項ｂは、訂正事項ａの訂正にともない、特許請求の範囲の記載と発明の詳細な説明の記載との整合をとるものである。よって、上記訂正事項ｂは明りょうでない記載の釈明を目的とする明細書の訂正に該当するものであって、新規事項の追加に該当せず、また、実質上特許請求の範囲を拡張し、又は変更するものでもない。
　　　
　Ｃ．訂正事項ｃは、特許明細書の段落番号【００１１】の記載から実質上「繊維の目を比較的簡単に、かつ確実に潰して」を削除するものであり、平成１２年１１月２日付手続補正書により補正をしたときに生じた誤記を解消するものである。よって、上記訂正事項ｃは、誤記の訂正を目的とする明細書の訂正に該当するものであって、新規事項の追加に該当せず、また、実質上特許請求の範囲を拡張し、又は変更するものでもない。
　　　
　Ｄ．訂正事項ｄは、特許明細書の段落番号【００１５】の記載から実質上「繊維の目を比較的簡単に、かつ確実に潰して」を削除するものであり、平成１２年１１月２日付手続補正書により補正をしたときに生じた誤記を解消するものである。よって、上記訂正事項ｄは、誤記の訂正を目的とする明細書の訂正に該当するものであって、新規事項の追加に該当せず、また、実質上特許請求の範囲を拡張し、又は変更するものでもない。
　　　
　Ｅ．訂正事項ｅは、実質上「カレンダー加工を施していない原紙」を「カレンダー加工紙」と訂正するものであり、平成１２年１１月２日付手続補正書により補正をしたときに生じた誤記を解消するものである。よって、上記訂正事項ｅは、誤記の訂正を目的とする明細書の訂正に該当するものであって、新規事項の追加に該当せず、また、実質上特許請求の範囲を拡張し、又は変更するものでもない。
　　　
　Ｆ．訂正事項ｆは、特許明細書の段落番号【００２０】の記載から実質上「繊維の目を比較的簡単に、かつ確実に潰して」を削除するものであり、平成１２年１１月２日付手続補正書により補正をしたときに生じた誤記を解消するものである。よって、上記訂正事項ｆは、誤記の訂正を目的とする明細書の訂正に該当するものであって、新規事項の追加に該当せず、また、実質上特許請求の範囲を拡張し、又は変更するものでもない。
　　　
（３）むすび
　以上のとおりであるから、上記訂正は特許法第１２０条の４第２項及び同条第３項において準用する第１２６条第２、３項の規定に適合するので、当該訂正を認める。
　　　
３．特許異議の申立ての概要
　申立人古田正仁は、下記の点を主張している。
（１）下記の甲第１〜５号証より、請求項１〜５に係る発明の特許は、特許法第２９条第２項の規定に違反してなされたものであるから取り消すべきである。
　　　甲第１号証：特開平５−３４４９１３号公報
　　　甲第２号証：松岡義直，「板紙の製造」，株式会社紙業タイムス社，昭和４８年３月３１日，ｐ．３２８−３３３
　　　甲第３号証：「紙パルプ技術便覧」第５版，紙パルプ技術協会，１９９２年１月３０日，ｐ．２７８−２７９
　　　甲第４号証：特開平９−１２１９３９号公報
　　　甲第５号証：「紙およびパルプ製造法　第６巻」，有限会社中外産業調査会，１９８０年九州大学附属図書館受け入れ，ｐ．７７８−７７９
（２）請求項１に関して「堅さ」の定義が明細書中にない。カレンダー加工紙よりも堅い補助用シート状物に関して当業者が本件発明を容易に実施することができないため、特許法３６条第４項違反である。また、カレンダー加工紙よりも堅い補助用シート状物とはどのようなものをいうのか不明確であるため特許法第３６条第６項第２号違反である。よって、請求項１〜５に係る発明の特許は、特許法第３６条第４項及び同条第６項第２号の規定に違反してなされたものであるから取り消すべきである。
（３）「原紙にカレンダー加工を施して繊維を潰す」記載の追加補正は新規事項の追加である。また、比較例として用いられている原紙の種類が補正により変更されており、かかる補正は新規事項の追加である。よって、請求項１〜５に係る発明の特許は、特許法第１７条の２第３項の規定に違反してなされたものであるから取り消すべきである。
　　　
４．本件発明
　上記のとおり訂正が認められたので、本件特許３２５３５６２号の請求項１〜５に係る発明（以下、それぞれ、「本件発明１」、・・・・・・、「本件発明５」という。）は、訂正明細書の特許請求の範囲の請求項１〜５に記載された事項により特定される次のとおりのものである。
本件発明１「原紙にカレンダー加工して原紙の繊維を潰した後、このカレンダー加工紙と、このカレンダー加工紙より堅い補助用シート状物とを交互に重ね合わせ、これらカレンダー加工紙および補助用シート状物の所望枚数を一束として束面から叩く脂取り紙の製造法。」
本件発明２「原紙が所望の漉き模様を有する請求項１記載の脂取り紙の製造法。」
本件発明３「原紙の原料成分が、植物繊維、動物繊維から選択され、必要に応じて無機質填料が添加される請求項１または２記載の脂取り紙の製造法。」
本件発明４「原紙の原料を所望の漉き模様で漉き、乾燥させて原紙を形成する請求項２または３記載の脂取り紙の製造法。」
本件発明５「原紙をカレンダー加工する際にアロエ、絹タンパク、米ぬか、コラーゲンを選択的に含浸してある請求項１ないし４のいずれかに記載の脂取り紙の製造法。」
　　　
５．本件発明１の特許について
（１）刊行物記載の発明
　当審が通知した取消しの理由に引用された引用刊行物１（甲第１号証：特開平５−３４４９１３号公報）には、次の事項が記載されている。
（イ）「米ぬかと乳の成分を含有し、叩打された薄い和紙で成形した化粧用紙。」（特許請求の範囲の請求項１）
（ロ）「米ぬかと乳を含む液をハトロン紙に含浸させ、乾燥させたハトロン紙で薄い和紙を挟んで叩打し、ハトロン紙と和紙とを密着させて、米ぬか及び乳の成分を和紙へ転着することを特徴とする化粧用紙の製造方法。」（特許請求の範囲の請求項２）
（ハ）「本発明は、化粧をとる時等、化粧に関連して用いられる化粧紙及びその製造方法に関するものであり、更に詳しくは、高品質である薄手の化粧紙及びその製造方法に関する。」（第２頁左欄第１１〜１４行）
（ニ）「米ぬか及び乳は肌に良好であることは周知であり、ハトロン紙は強靭な紙である。米ぬか及び乳を含む液を含浸したハトロン紙は、乾燥してもその成分を含有したままである。このハトロン紙で薄い和紙を挟んで叩打することで、ハトロン紙と和紙が密着し、ハトロン紙に含浸した米ぬかと乳が和紙に転着する。和紙は薄いから弱いが、強靭なハトロン紙で挾持されているため、叩打から保護されて破損しない。又、間接的でも叩打による押圧は和紙の組織に一層の柔軟性、高密度性を付与する。更に乳は肌の滋養作用と同時に和紙へ光沢を付与するものである。」（第２頁左欄第３９行〜同頁右欄第３行）
（ホ）「このように得たハトロン紙を適宜大きさに裁断し、薄い和紙をハトロン紙より小さ目に裁断し、両紙を交互に積層して束とする。本実施例では、ハトロン紙は２４センチ平方、和紙は０．０４ミリメートル厚のものを２０センチ平方の大きさとし、各２００枚を積層して一束とした。ハトロン紙と和紙とを積層した束を、約８キログラムのハンマー機で毎分１５０乃至２００回で約１０分間叩打すると、ハトロン紙と和紙は充分に密着し、ハトロン紙に含有する米ぬかと牛乳の成分が和紙へ転着するのである。叩打は常温で軽く紙面を平均して叩くものである。」（第２頁右欄第１６〜２７行）
　これら（イ）〜（ホ）の記載を総合すると、上記引用刊行物１には「薄い和紙と、この薄い和紙より強靭なハトロン紙とを交互に積層し、これら薄い和紙およびハトロン紙の所望枚数を一束として束面から叩く化粧用紙の製造法」という発明（以下、「引用発明１」という。）が記載されていると認められる。
（２）対比・判断
　本件発明１と引用発明１とを対比すると、引用発明１の「強靭なハトロン紙」、「交互に積層し」は、その機能と構造からみて、本件発明１の「堅い補助用シート状物」、「交互に重ね合わせ」に、それぞれ相当し、また引用刊行物１の「化粧用紙」は「脂取り紙」を含んでおり、引用刊行物１の「薄い和紙」と本件発明１の「カレンダー加工紙」はともに「材料紙」として位置付けることができる。
　そうしてみると、両者は、「材料紙と、この材料紙より堅い補助用シート状物とを交互に重ね合わせ、これら材料紙および補助用シート状物の所望枚数を一束として束面から叩く脂取り紙の製造法」である点で一致し、以下の点で相違している。
（Ａ）材料紙について、本件発明１においては、原紙にカレンダー加工して原紙の繊維を潰した「カレンダー加工紙」であるのに対し、引用発明１においては、「薄い和紙」であり、カレンダー加工が施されているかどうか不明である点（以下、「相違点（Ａ）」という。）。
　そこで、相違点（Ａ）について検討する。当審が通知した取消しの理由に引用された引用刊行物２（甲第２号証：松岡義直，「板紙の製造」，株式会社紙業タイムス社，昭和４８年３月３１日，ｐ．３２８−３３３）には、抄紙機には多くの場合カレンダーが付帯していることが記載されている。また、当審が通知した取消しの理由に引用された引用刊行物３（甲第３号証：「紙パルプ技術便覧」第５版，紙パルプ技術協会，１９９２年１月３０日，ｐ．２７８−２７９）には、カレンダーは抄紙機の最後部に位置することが記載され、一連の製造工程で最後には紙にカレンダー加工が施されることが示唆される。してみると、抄紙機にカレンダーが付帯することは従来周知であり、また和紙が抄紙機により製造されることは一般的であることから、引用発明１の「薄い和紙」として、抄紙機により製造され、カレンダー加工が施されている紙を用いることは、当業者ならば容易に想到し得るものと認められる。また、カレンダー加工により紙の繊維が潰されることは十分に想定されるものであり、カレンダー加工において「原紙の繊維を潰した」との限定を加えることに格別の意味はない。
　よって、引用発明１の「薄い和紙」として、原紙にカレンダー加工して原紙の繊維を潰した「カレンダー加工紙」を採用することは、周知技術に基づき当業者ならば容易になし得るものと認められる。
　そして、本件発明１の効果は引用発明１及び周知技術から当業者が予測し得る範囲内のものである。
　よって、本件発明１は、引用発明１及び周知技術に基いて当業者が容易に発明をすることができたものと認められる。
　したがって、本件発明１は、引用発明１及び周知技術に基いて当業者が容易に発明できたものであるから、本件発明１の特許は、特許法第２９条第２項の規定に違反してされたものである。
　　　
６．本件発明２の特許について
　本件発明２は、本件発明１に「原紙が所望の漉き模様を有する」構成を付加するものである。当審が通知した取消しの理由に引用された引用刊行物４（甲第４号証：特開平９−１２１９３９号公報）には、脂取り紙に漉き模様を形成することが記載されている（第５頁左欄第１３〜１４行参照）。してみると、引用発明１において、「薄い和紙」の原紙に所望の漉き模様を設けることは、引用刊行物４に記載されたものに基いて当業者ならば必要に応じて適宜なし得る程度のものにすぎない。
　よって、本件発明２は、引用発明１、引用刊行物４に記載された発明及び周知技術に基いて当業者が容易に発明をすることができたものと認められる。
　したがって、本件発明２は、引用発明１、引用刊行物４に記載された発明及び周知技術に基いて当業者が容易に発明できたものであるから、本件発明２の特許は、特許法第２９条第２項の規定に違反してされたものである。
　　　
７．本件発明３の特許について
　本件発明３は、本件発明１又は２に「原紙の原料成分が、植物繊維、動物繊維から選択され、必要に応じて無機質填料が添加される」構成を付加するものである。和紙の原料成分が植物繊維であることは周知であり、また引用刊行物４には、脂取り紙の材料として植物繊維パルプを使用し、さらにタルク、炭酸カルシウムなどの無機填料を添加することが記載されている（第４頁左欄第１５〜３２行）。してみると、引用発明１において、「薄い和紙」の原紙の原料成分を植物繊維とし、必要に応じて無機質填料を添加することは、引用刊行物４に記載されたものに基いて当業者ならば必要に応じて適宜なし得る程度のものにすぎない。
　よって、本件発明３は、引用発明１、引用刊行物４に記載された発明及び周知技術に基いて当業者が容易に発明をすることができたものと認められる。
　したがって、本件発明３は、引用発明１、引用刊行物４に記載された発明及び周知技術に基いて当業者が容易に発明できたものであるから、本件発明３の特許は、特許法第２９条第２項の規定に違反してされたものである。
　　　
８．本件発明４の特許について
　本件発明４は、本件発明２又は３に「原紙の原料を所望の漉き模様で漉き、乾燥させて原紙を形成する」構成を付加するものである。原紙に所望の漉き模様を設ける点については、前述６．のとおり、引用刊行物４に記載されている。また、抄紙工程において、乾燥部を設けることは従来周知であり（必要であれば、引用刊行物２など参照）、原紙の原料を乾燥させて原紙を形成することは一般に行われている技術事項にすぎない。してみると、引用発明１において、「薄い和紙」の原紙の原料を所望の漉き模様で漉き、乾燥させて原紙を形成することは、引用刊行物４に記載されたもの及び周知技術に基いて当業者ならば必要に応じて適宜なし得る程度のものにすぎない。
　よって、本件発明４は、引用発明１、引用刊行物４に記載された発明及び周知技術に基いて当業者が容易に発明をすることができたものと認められる。
　したがって、本件発明４は、引用発明１、引用刊行物４に記載された発明及び周知技術に基いて当業者が容易に発明できたものであるから、本件発明４の特許は、特許法第２９条第２項の規定に違反してされたものである。
　　　
９．本件発明５の特許について
　本件発明５は、本件発明１〜４に「原紙をカレンダー加工する際にアロエ、絹タンパク、米ぬか、コラーゲンを選択的に含浸してある」構成を付加するものである。引用刊行物１には、米ぬかと乳を含む液をハトロン紙に含浸させ、乾燥させたハトロン紙で薄い和紙を挟んで叩打し、ハトロン紙と和紙とを密着させて、米ぬか及び乳の成分を和紙へ転着する化粧用紙の製造方法が記載されている。また、当審が通知した取消しの理由に引用された引用刊行物５（「紙およびパルプ製造法　第６巻」，有限会社中外産業調査会，１９８０年九州大学附属図書館受け入れ，ｐ．７７８−７７９）には、カレンダー加工する際にウォータボックスから水（ワックス、でん粉などを含む水）を付与することが記載されている。しかしながら、「原紙をカレンダー加工する際にアロエ、絹タンパク、米ぬか、コラーゲンを選択的に含浸」させる点については、上記記載から導き出されるものではなく、特許異議申立人が提出した証拠のいずれにおいても、この点について示唆するものはない。
　そして、本件発明５は「原紙をカレンダー加工する際にアロエ、絹タンパク、米ぬか、コラーゲンを選択的に含浸してある」構成を有することにより、特許異議申立人の提出する証拠から得ることのできない、優れた光沢等の特有の効果を奏するものである。
　してみると、本件発明５のように「原紙をカレンダー加工する際にアロエ、絹タンパク、米ぬか、コラーゲンを選択的に含浸してある」構成を設けることは、特許異議申立人の提出する証拠に基いて容易に想到できたものとすることができない。
　したがって、本件発明５は、特許異議申立人が証拠として提出した刊行物に記載された発明から容易に発明できたものでもないので、本件発明５の特許は、特許法第２９条第２項の規定に違反してなされたものではない。
　　　
１０．特許法第３６条第４項及び同条第６項第２号の規定違反について
　特許異議申立人は、請求項１に関して「堅さ」の定義が明細書中にない旨を述べているが、「堅さ」に関する一般的な指標はないものの、「堅さ」の概念は、密度、強靱さ、硬度などから把握できることは容易に推測され、また、本件発明１の補助用シート状物の「堅さ」が、カレンダー加工紙を保護し、カレンダー加工紙の繊維を砕くのに十分な程度の「堅さ」であり、そのような「堅さ」の補助用シート状物（カレンダー加工紙よりも「堅い」補助用シート状物）を用意することは容易にでき、本件発明１の製造法を実施することは当業者であれば本件出願の明細書の記載に基いて容易になし得るものと認められる。
　したがって、本件出願に係る特許は、特許法第３６条第４項又は同条第６項第２号の規定に違反してなされたものではない。
　　　
１１．特許法第１７条の２第３項の規定違反について
　特許異議申立人は、「原紙にカレンダー加工を施して繊維を潰す」記載の追加補正は新規事項の追加である旨を述べているが、前述５．で述べたように、カレンダー加工により紙の繊維が潰されることは十分に想定されるものであり、「繊維を潰す」は「カレンダー加工」にそもそも含まれているものである。よって、「原紙にカレンダー加工を施して繊維を潰す」は出願当初の明細書又は図面に記載されていたに等しいものであり、当該記載が追加されたからといって新規事項の追加には当たらない。なお、特許異議申立人は、比較例として用いられている原紙の種類が補正により変更されており、かかる補正は新規事項の追加である旨を述べているが、平成１５年７月１５日付け訂正請求書により訂正がなされ、この点については取消理由が解消されている（上記２．訂正事項ｅ参照）。
　したがって、本件出願に係る特許は、特許法第１７条の２第３項の規定に違反してなされたものではない。
　　　
１２．むすび
　以上のとおりであるから、本件発明１〜４の特許は、特許法第２９条第２項の規定に違反してされたものであるから、同法第１１３条第２号に該当し、取り消されるべきものである。
　また、本件発明５の特許については、取消理由を発見しない。
　よって、結論のとおり決定する。
【異議決定日】
平成１５年８月２８日（２００３．８．２８）
【訂正の要旨】
審決（決定）の【理由】欄参照。
（５４）【発明の名称】
脂取り紙の製造法
（５７）【特許請求の範囲】
　【請求項１】　原紙にカレンダー加工し
て原紙の繊維を潰した
　【請求項２】　原紙が所望の漉き模様を有する請求項１記載の脂取り紙の製造法。
　【請求項３】　原紙の原料成分が，植物繊維，動物繊維から選択され，必要に応じて無機質填料が添加される請求項１または請求項２記載の脂取り紙の製造法。
　【請求項４】　原紙の原料を所望の漉き模様で漉き，乾燥させて原紙を形成する請求項２または請求項３記載の脂取り紙の製造法。
　【請求項５】　原紙をカレンダー加工する際にアロエ，絹タンパク，米ぬか，コラーゲンを選択的に含浸してある請求項１ないし４のいずれかに記載の脂取り紙の製造法。
【発明の詳細な説明】
　【０００１】
　【発明の属する技術分野】
　本発明は，主として女性が化粧する際などに顔の脂を吸収させて取り除くために用いるのに適する脂取り紙の製造法に関する。
　【０００２】
　【従来の技術】
　従来，化粧用の脂取り紙として箔打ち紙が知られている。この箔打ち紙は，金箔を打ち延ばす際に金箔を挟む。そして，これらの所望枚数を一束として箔打ち機により束面から万遍なく繰り返して叩く。このとき，箔打ち紙はその繊維が砕けるほど叩かれることにより，柔軟性，平滑性，光沢が与えられる。箔打ち紙はこれら柔軟性，平滑性により脂の吸収性に優れていることがわかり，高品質の化粧用脂取り紙として使用されている。
　【０００３】
　しかしながら，このような化粧用脂取り紙は，箔打ちに使用した箔打ち紙の有効利用に過ぎず，自ら供給量に限界がある。また，近年，化粧用としてのみならず，清潔感を得るために顔の脂分を取り除くために使用され，性別，年令の高低を問わず，使用者層が広がる傾向にあり，多量の脂取り紙の提供が要望されている。
　【０００４】
　そこで，近年，箔を挟むことなく，原紙のみを束ねた状態で箔打ち機により叩いた脂取り紙が提供されている。
　【０００５】
　【発明が解決しようとする課題】
　しかしながら，このような脂取り紙は，原紙のみを束状に重ねて箔打ち機により叩いており，同じ種類の原紙同士が接触しているため，原紙の繊維が潰れ難く，しかも，光沢も得難い。したがって，柔軟性，平滑性を得ることができないため，脂の吸収性が劣り，しかも，肌触りも劣り，箔打ち紙に比べて品質において数段劣る。また，箔打ち紙は，原紙の製造時に格子，亀甲等の漉き模様を入れているが，上記脂取り紙には漉き模様が入っていないため，箔打ち紙のような高級感を得ることができない。
　【０００６】
　本発明は，上記のような従来の問題点を解決するものであり，箔打ち紙と同様の脂分の吸収性，光沢，肌触り等を得ることができ，したがって，箔打ち紙と同様の高品質を得ることができ，しかも，作業効率を向上させることができるようにした脂取り紙の製造法を提供し，また，上記目的に加え，所望の漉き模様を得ることができ，したがって，箔打ち紙と同様の外観を得ることができるようにした脂取り紙の製造法を提供することを目的とするものである。
　【０００７】
　【課題を解決するための手段】
　上記課題を解決するための本発明の脂取り紙の製造法は，原紙にカレンダー加工し
て原紙の繊維を潰した
　【０００８】
　上記課題を解決するための本発明の他の脂取り紙の製造法は，上記製造法において，所望の漉き模様を有する原紙を用いたものてある。
　【０００９】
　そして，上記各製造法において，原紙の原料成分として，植物繊維，動物繊維から選択し，必要に応じて無機質填料を添加することができ，また，原紙の原料を所望の漉き模様で漉き，乾燥させて原紙を形成することができる。
　【００１０】
　また，原紙をカレンダー加工する際にアロエ，絹タンパク，米ぬか，コラーゲンを選択的に含浸させることができる。
　【００１１】
　上記本発明の製造法によれば，原紙にカレンダー加工を施して繊維を潰すとともに密度および平滑度を高めた後，このカレンダー加工紙と，このカレンダー加工紙より堅い補助用シート状物とを交互に重ねて叩くので，カレンダー加工紙の繊維を砕くようにする
ことにより
　【００１２】
　また，所望の漉き模様を有する原紙を用いることにより，所望の漉き模様を有する脂取り紙を得ることができる。
　【００１３】
　【発明の実施の形態】
　以下，本発明の実施形態について説明する。原紙の原料成分である植物繊維として，例えば，ガンピ，サンピ，パルプ，みつまた，マニラ麻等を用い，動物繊維として，例えば，絹繊維を用い，無機質填料として，例えば，泥を用いる。そして，従来の製紙方法と同様に，ガンピ，サンピ，パルプ，みつまた，マニラ麻，絹繊維等を単独で，若しくは所望の配合比で組み合わせて用い，必要に応じて泥をガンピ等１００部に対して５部〜５０部の配合比で添加し，紙の層の形成において異なったワイヤーパートを通し，それぞれについて従来の箔打ち紙で用いられている格子，亀甲など，所望の漉き模様を有するシリンダを通すことにより，異なった二層の紙を形成し，これをプレスロールにより合紙する。この二層からなる合紙をドライヤーパートに通過させることにより製紙する。ここで，ガンピ等に泥を添加することにより紙の平滑性等を高めることができるが，ガンピ等１００部に対して泥が５部未満であると平滑性等に劣り，５０部を超えると紙の品質を害するおそれがあり，したがって，５部〜５０部の間で選択するのが好ましい。
　【００１４】
　次に，上記のように所望の漉き模様を有する原紙に水分を与えながらカレンダーロールに通すことにより，繊維を潰すとともに，密度および平滑度を高める。上記水分として，純水にアロエ，絹タンパク，米ぬか，コラーゲン等のいずれか，若しくはそれらの複数種を添加し，この水分を含浸法，若しくは加湿法（水蒸気）により上記原紙に与え，その成分を原紙に含有させる。
　【００１５】
　次に，上記カレンダー加工紙と，このカレンダー加工紙より堅い補助用シート状物とを，例えば，２０ｃｍ以上の正方形，若しくは長方形に形成して交互に重ね合わせ，これらカレンダー加工紙および補助用シート状物の所望枚数，例えば，５００枚〜１０００枚程度を一束として箔打ち機により束面から万遍なくカレンダー加工紙の繊維が砕けるほど叩く。このとき，熱が発生するため，冷ましながら叩く作業を繰り返して行う。カレンダー加工紙の間にこれより堅い補助用シート状物を挟んでいるので，カレンダー加工紙の繊維を砕くようにする
ことにより適度の
　【００１６】
　【実施例】
　以下，本発明の実施例について説明する。原紙の原料として，ガンピとマニラ麻３０対７０の割合で用い，このガンピとマニラ麻１００部に対して泥を約２５部の配合比で添加した。上記原料成分により従来の箔打ち紙と同様の格子模様，若しくは亀甲模様となるようにそれぞれ上記のように二層漉きを行い，カレンダー加工を行った。このようにして製造したカレンダー加工紙と，補助用シート状物として，上記カレンダー加工紙より堅いパルプ１００％のグラシンなどと，２０ｃｍ以上の正方形，若しくは長方形に形成して交互に重ね合わせ，５００枚〜１０００枚を一束として箔打ち機により大，小重さの異なるハンマーを使い分けて束面から万遍なく繰り返し叩いて脂取り紙を製造した。
　【００１７】
　比較例として，上記本発明実施例と同様の
カレンダー加工紙
　【００１８】
　上記本発明実施例の脂取り紙と上記比較例の脂取り紙と従来の箔打ち紙について複数の女性により顔の脂の吸収テストを行った結果，脂の吸収性，肌触りにおいて，従来の箔打ち紙が最も優れ，比較例の脂取り紙が最も劣り，本発明実施例の脂取り紙は比較例の脂取り紙より優れ，従来の箔打ち紙よりやや劣るものの，これに近い特性を有することがわかった。また，本発明実施例の脂取り紙は，光沢において，比較例の脂取り紙よりも優れ，従来の箔打ち紙と同等であることがわかった。また，本発明実施例の脂取り紙において，アロエ，絹タンパク，米ぬか，コラーゲン等を含浸，若しくは加湿により付与することにより，殺菌，美白，日焼け防止，肌の柔軟性，優れた光沢等の効果を有することも明らかである。
　【００１９】
　なお，上記実施例では，ガンピとマニラ麻を用いた場合を説明したが，このほか，みつまた，サンピ等を用いても同様の脂の吸収性，光沢，肌触り等が得られることは明らかである。
　【００２０】
　【発明の効果】
　以上要するに本発明の製造法によれば，原紙にカレンダー加工を施して繊維を潰すとともに，密度および平滑度を高めた後，このカレンダー加工紙と，このカレンダー加工紙より堅い補助用シート状物とを交互に重ね合わせて叩くので，カレンダー加工紙の繊維を砕くようにする
ことにより，
　【００２１】
　また，所望の漉き模様を有する原紙を用いることにより，所望の漉き模様を有する脂取り紙を得ることができる。したがって，箔打ち紙と同様の外観を得ることができる。